(57)【要約】 【課題】  端子金具とスルーホールとの間の位置ずれを防止する。【解決手段】  ハウジング１０は、左右夫々の分割ハウジング２０によって構成され、各分割ハウジング２０に、端子金具３０が複数並んで配置されている。各分割ハウジング２０は、端子金具３０の並び方向に隣り合うよう配置されている。隣り合う分割ハウジング２０同士は、端子金具３０の並び方向に関する距離を伸縮可能なつなぎ部２５によって連結されている。各分割ハウジング２０は、互いが一体的に動ける程度の僅かな隙間をあけて配置され、つなぎ部２５は、この僅かな隙間を斜めに横切るよう配置されている。【選択図】  図３
2006173003.tif 000002
【特許請求の範囲】
【請求項１】
ハウジングに端子金具が装着され、この端子金具が基板のスルーホールに挿通されるとともに導電路に電気的に接続される基板用コネクタにおいて、
前記ハウジングは、複数の分割ハウジングによって構成され、各分割ハウジングに、前記端子金具が複数並んで配置され、前記各分割ハウジングは、前記端子金具の並び方向に隣り合うよう配置されており、かつ、この隣り合う分割ハウジング同士は、前記端子金具の並び方向に関する距離を伸縮可能なつなぎ部によって連結されていることを特徴とする基板用コネクタ。
【請求項２】
前記隣り合う分割ハウジングは、前記端子金具を前記基板のスルーホールに挿通させる際に、互いが一体的に動ける程度の隙間をあけて配置され、かつ、前記つなぎ部は、前記隙間の範囲内で前記距離を伸縮可能とされていることを特徴とする請求項１に記載の基板用コネクタ。
【請求項３】
前記つなぎ部は、合成樹脂材によって帯状に形成され、前記隣り合う分割ハウジングの対向面間に、前記端子金具の並び方向と交差する斜め方向に架け渡されていることを特徴とする請求項１または請求項２に記載の基板用コネクタ。
【請求項４】
前記つなぎ部は、複数条設けられ、各つなぎ部が、互いの架け渡し方向を違えて配置されていることを特徴とする請求項３に記載の基板用コネクタ。
【請求項５】
前記各つなぎ部は、斜めに交わることでその交差部が一体に接合されていることを特徴とする請求項４に記載の基板用コネクタ。
【発明の詳細な説明】
【技術分野】
【０００１】
本発明は、基板用コネクタに関する。
【背景技術】
【０００２】
基板用コネクタとして、以下の特許文献１に記載のものが知られている。このものは、横長に形成されたハウジングと、このハウジング内に横並びで装着された多数の端子金具とを備えて構成される。ハウジングを基板上に取り付ける際には、各端子金具が基板に設けられたスルーホールに個別に挿通されるようになっている。
【特許文献１】特開２００２−２１６８７８公報
【発明の開示】
【発明が解決しようとする課題】
【０００３】
上記のような多極のコネクタの場合には、成形時に生じるハウジングの反り等に起因し、端子金具間のピッチ精度をだすのが非常に難しくなる結果、端子金具とスルーホールとの間で位置ずれが生じ易いという事情がある。また、ハウジングの一端側に装着された端子金具を対応するスルーホールに挿通し、ここを基準位置として残りの端子金具を対応するスルーホールに挿通する設定においては、基準位置となる一端側から他端側へ離れるにしたがって端子金具とスルーホールとの間の累積公差による位置ずれが大きくなるという事情もある。
【０００４】
本発明は上記のような事情に基づいて完成されたものであって、端子金具とスルーホールとの間の位置ずれを防止することを目的とする。
【課題を解決するための手段】
【０００５】
上記の目的を達成するための手段として、請求項１の発明は、ハウジングに端子金具が装着され、この端子金具が基板のスルーホールに挿通されるとともに導電路に電気的に接続される基板用コネクタにおいて、前記ハウジングは、複数の分割ハウジングによって構成され、各分割ハウジングに、前記端子金具が複数並んで配置され、前記各分割ハウジングは、前記端子金具の並び方向に隣り合うように配置されており、かつ、この隣り合う分割ハウジング同士は、前記端子金具の並び方向に関する距離を伸縮可能なつなぎ部によって連結されている構成としたところに特徴を有する。
【０００６】
請求項２の発明は、請求項１に記載のものにおいて、前記隣り合う分割ハウジングは、前記端子金具を前記基板のスルーホールに挿通させる際に、互いが一体的に動ける程度の隙間をあけて配置され、かつ、前記つなぎ部は、前記隙間の範囲内で前記距離を伸縮可能とされているところに特徴を有する。
【０００７】
請求項３の発明は、請求項１または請求項２に記載のものにおいて、前記つなぎ部は、合成樹脂材によって帯状に形成され、前記隣り合う分割ハウジングの対向面間に、前記端子金具の並び方向と交差する斜め方向に架け渡されているところに特徴を有する。
【０００８】
請求項４の発明は、請求項３に記載のものにおいて、前記つなぎ部は、複数条設けられ、各つなぎ部が、互いの架け渡し方向を違えて配置されているところに特徴を有する。
請求項５の発明は、請求項４に記載のものにおいて、前記各つなぎ部は、斜めに交わることでその交差部が一体に接合されているところに特徴を有する。
【発明の効果】
【０００９】
＜請求項１の発明＞
従来においてはハウジングの反りや累積公差等によって端子金具とスルーホールとの間に位置ずれが生じ易いという事情があったが、本発明によれば、ハウジングが複数の分割ハウジングによって構成され、端子金具の並び方向に隣り合う分割ハウジング同士がこの並び方向に関する距離を伸縮可能なつなぎ部によって連結されているから、端子金具とスルーホールとの間の位置ずれが吸収され、端子金具を対応するスルーホールへ確実に挿通させることができる。
【００１０】
＜請求項２の発明＞
つなぎ部は僅かな隙間の範囲内で端子金具の並び方向に関する距離を伸縮可能とされており、この僅かな隙間は、端子金具を基板のスルーホールに挿通させる際に、隣り合う分割ハウジングが互いに一体的に動ける程度に設定されているから、各分割ハウジングを一体的に取り扱うことが可能となり、作業の円滑性を担保できる。
【００１１】
＜請求項３の発明＞
つなぎ部が、合成樹脂材によって帯状に形成され、隣り合う分割ハウジングの対向面間に、端子金具の並び方向と交差する斜め方向に架け渡されているから、つなぎ部が撓み変形するに足る十分な長さを確保できる。また、隣り合う分割ハウジング同士が端子金具の並び方向と交差する方向にも相対変位可能となる。
【００１２】
＜請求項４の発明＞
つなぎ部が複数条設けられ、各つなぎ部が互いの架け渡し方向を違えて配置されているから、つなぎ部全体としての剛性を高めることができ、隣り合う分割ハウジング同士が不用意に相対変位するのを回避できる。
＜請求項５の発明＞
各つなぎ部は、斜めに交わることでその交差部が一体に接合されているから、つなぎ部全体としての剛性をより一層高めることができる。
【発明を実施するための最良の形態】
【００１３】
＜実施形態１＞
本発明の実施形態１を図１ないし図５によって説明する。本実施形態に係る基板用コネクタは、相手側のハウジング（図示せず）を嵌合可能なハウジング１０と、このハウジング１０に装着された端子金具３０とを備える。なお、以下の説明においては、相手側のハウジングとの嵌合面側を前方とする。
【００１４】
ハウジング１０は、図１に示すように、全体として左右方向に長く延出して形成され、その長さ方向（左右方向）のほぼ中央位置を境として、左右夫々の分割ハウジング２０に分かれている。各分割ハウジング２０は、合成樹脂材によって形成され、双方の対向面間に架け渡されたつなぎ部２５によって一体に連結されている。そして、各分割ハウジング２０は、前方に開口する略角筒状の嵌合筒部２１を備え、この嵌合筒部２１の内側に、相手側のハウジングが嵌合されるようになっている。
【００１５】
嵌合筒部２１の内壁には、相手側のハウジングの嵌合動作を案内する複数のガイド溝２２が凹設されている。各ガイド溝２２は前後方向に沿って延出するとともに嵌合筒部２１の内壁において非対称性を有する構造とされ、これにより、相手側のハウジングが誤った姿勢で嵌合するのを回避できるようになっている。また、嵌合筒部２１の内壁における幅方向のほぼ中央位置には、正規嵌合された相手側のハウジングをロックするためのロック部２３が設けられている。
【００１６】
両分割ハウジング２０のうちの一方の分割ハウジング２０には、図２に示すように、その幅方向のほぼ中央位置に、前方へ突き出る形態の誤嵌合防止部２４が設けられている。誤嵌合防止部２４は、他方の分割ハウジング２０には存在せず、両分割ハウジング２０を区別する識別構造部分となっている。各分割ハウジング２０に対応する相手側のハウジングが左右逆転して嵌合されると、その嵌合動作が開始される前に、相手側のハウジングとの干渉によってその誤嵌合が防止されるようになっている。
【００１７】
嵌合筒部２１の奥壁には、上下二段で幅方向（左右方向）に複数列のキャビティ４１が形成されている。各キャビティ４１には、前後方向に細長い形状の端子金具３０が圧入されている。各端子金具３０は、その前端部が所定の長さ嵌合筒部２１の内側に突出して配置され、その後端部が嵌合筒部２１の後面から後方へ真直ぐ突出して露出状態で配置されている。各端子金具３０の前端部は、相手側のハウジングに装着された対応する雌側端子金具と電気的に接続可能とされる一方、各端子金具３０の後端部は、プリント基板６０に形成されたスルーホール６５に挿通され、このスルーホール６５から突出した部分に半田付け６１がなされることでプリント基板６０の裏面側に形成された対応する導電路と電気的に接続可能とされる（図３を参照）。なお、両分割ハウジング２０において、嵌合筒部２１の内部構造は同一であり、キャビティ４１の個数も同じである。
【００１８】
嵌合筒部２１の後面の所定位置には、後方へ突出する形態で複数の取付部４２が設けられている。各取付部４２は、略ブロック状をなし、その突出端面をプリント基板６０の表面に載置固定することで、ハウジング１０がプリント基板６０に実装される。また、嵌合筒部２１とプリント基板６０との間は、取付部４２によって一定間隔に保持可能とされる。
【００１９】
さて、各分割ハウジング２０は、ハウジング１０の長さ方向、言い換えれば、端子金具３０の並び方向に関する距離を伸縮可能なつなぎ部２５によって連結されている。各分割ハウジング２０は、互いに接近または離間する方向に相対変位可能とされ、これにより、ハウジング１０の一端から他端までの長さが変動するようになっている。そして、各分割ハウジング２０は一体的に挙動し得る程度の僅かな隙間をあけて配置され、つなぎ部２５はこの僅かな隙間を斜めに横切るよう配置されている。
【００２０】
ここで、端子金具３０をスルーホール６５に挿通させるに際し、例えば、ハウジング１０の一端側におけるキャビティ４１に収容された端子金具３０を基準位置とすると、この基準位置からハウジング１０の他端側に遠ざかるにつれ、ハウジング１０の反りや寸法公差等に起因し、端子金具３０とプリント基板６０のスルーホール６５との間の位置ずれが累積されることになる。しかるに、本実施形態においては、ハウジング１０が長さ方向（端子金具３０の並び方向）のほぼ中央位置にて一対の分割ハウジング２０に分割され、各分割ハウジング２０同士がつなぎ部２５によってハウジング１０の長さ方向の距離を伸縮可能に連結されているから、基準位置から遠い側の分割ハウジング２０を基準位置に近い側の分割ハウジング２０に接近または離間する方向に移動することにより、前記位置ずれが矯正され、端子金具３０を対応するスルーホール６５に整合させることができる。
【００２１】
つなぎ部２５は、ハウジング１０と同じ合成樹脂材によって帯状に一体形成され、それ自体が伸縮することのない可撓性を有するとともに、高い剛性を有して構成されている。そして、つなぎ部２５は、図１に示すように、正面から見た右側の分割ハウジング２０の左端面と正面から見た左側の分割ハウジング２０の右端面とに、つまり各分割ハウジング２０の対向面に、上下一対設けられている。
【００２２】
各つなぎ部２５は、正面から見ると、互いに略平行でかつそれぞれ略水平に同じ高さ位置に配置されている。また、各つなぎ部２５は、図２に示すように、上方から見ると、ハウジング１０の長さ方向と交差する斜め方向に延出して配置され、互いがその延出方向を逆に向けることで、全体としてＸの字形をなす形態となっている。
【００２３】
詳しくは、各つなぎ部２５のうちの一方のつなぎ部２５（図１において上側に配されたつなぎ部２５）は、図４に示すように、上方から見ると、右側から左側にかけてハウジング１０の奥側に向かって昇り勾配となる傾斜をもって各分割ハウジング２０の対向面間に架橋され、他方のつなぎ部２５（図１において下側に配されたつなぎ部２５）は、上方から見ると、右側から左側にかけてハウジング１０の手前側に向かって下り勾配となる傾斜をもって各分割ハウジング２０の対向面間に架橋されており、各つなぎ部２５がその長さ方向のほぼ中央位置にて立体交差して配置されている。したがって、各つなぎ部２５は、各分割ハウジング２０の対向面間に僅かな隙間しかあいていないという事情があっても、十分な長さ寸法を確保できるとともに、各分割ハウジング２０を左右方向ばかりでなく前後方向及び上下方向にも相対変位可能な状態で連結できる。
【００２４】
また、各つなぎ部２５には、図５に示すように、薄肉化により撓み変形容易となった易変形部２６が形成されている。易変形部２６は、各つなぎ部２５における根元側から長さ方向ほぼ中央位置にかけて少しずつ除肉された形態をなし、長さ方向ほぼ中央位置よりも奥側の部分が易変形部２６との間に段差２７を介してほぼ一定厚みとなっている。かかる易変形部２６の主たる役割は、各分割ハウジング２０の対向面に対するつなぎ部２５の突っ張り力を軽減することで各分割ハウジング２０を一定間隔で保持するとともに、各つなぎ部２５の円滑な撓み変形動作を保障することである。
【００２５】
本実施形態は以上のような構造であり、次にその作用を説明する。まず、各分割ハウジング２０に端子金具３０を圧入により装着する。全ての端子金具３０が装着されると、図２に示すように、多数の端子金具３０がハウジング１０の長さ方向に横並びで配置される。続いて、各端子金具３０の後端部を下向きにして対応するプリント基板６０のスルーホール６５に挿通する。このとき、つなぎ部２５が撓み変形することでハウジング１０が長さ方向に伸縮可能とされ、これにより、各端子金具３０が対応するスルーホール６５に正確に挿通される。また、このときの伸縮量は各分割ハウジング２０の対向面間の僅かな隙間の範囲内であるから、各分割ハウジング２０はバラバラに動くことなく、つなぎ部２５に連結された状態で一体的にまとまって動くことになる。
【００２６】
その後、ハウジング１０を取付部４２を介してプリント基板６０に固定するとともに、各端子金具３０のスルーホール６５から突き出た部分に半田付け６１を施し、各端子金具３０をプリント基板６０の裏面側に形成された対応する導電路と電気的に接続させる。あとは、上方に向いて開口する嵌合筒部２１の内側に相手側のハウジングを嵌合し、雌雄の両端子金具を電気的に接続させればよい。
【００２７】
以上のように、本実施形態によれば、ハウジング１０が左右夫々の分割ハウジング２０によって構成され、各分割ハウジング２０同士が端子金具３０の並び方向に関する距離を伸縮可能なつなぎ部２５によって連結されているから、端子金具３０とプリント基板６０のスルーホール６５との間の位置ずれが吸収され、端子金具３０を対応するスルーホール６５へ確実に挿通させることができる。
【００２８】
また、つなぎ部２５は僅かな隙間の範囲内で端子金具３０の並び方向に関する距離を伸縮可能とされ、この隙間は、端子金具３０をプリント基板６０のスルーホール６５に挿通させる際に、各分割ハウジング２０が互いに一体的に動ける程度に設定されているから、各分割ハウジング２０を一体的に取り扱うことが可能となり、作業の円滑性を担保できる。
【００２９】
さらに、つなぎ部２５は、各分割ハウジング２０の対向面間に端子金具３０の並び方向と交差する斜め方向に架け渡されているから、撓み変形するのに十分な長さを確保できるとともに、各分割ハウジング２０同士を全方位的に相対変位させることができる。
さらにまた、二条のつなぎ部２５が互いの架け渡し方向を違えて配置されているから、つなぎ部２５全体として剛性を高めることができ、各分割ハウジング２０同士が不用意に相対変位するのを回避できる。
【００３０】
＜実施形態２＞
図６は本発明の実施形態２を示す。実施形態２では、つなぎ部２５の形態が実施形態１と異なっているが、その他は実施形態１と同様である。
【００３１】
実施形態２のつなぎ部２５は、二条設けられ、各つなぎ部２５が、各分割ハウジング２０の対向面間にハウジング１０の長さ方向と交差する斜め方向に架け渡されるとともに、互いの架け渡し方向を違えることで正面から見ると全体としてＸの字形をなす形態となっている。そして、各つなぎ部２５は、同一平面上で筋交いがとられることで一体接合された交差部２８を備え、この交差部２８を中心として上下方向及び左右方向に対称形状をなしている。
実施形態２によれば、つなぎ部２５が斜めに交わることでその交差部２８が一体に接合されているから、つなぎ部２５全体としての剛性をより一層高めることができる。
【００３２】
＜実施形態３＞
図７は本発明の実施形態３を示す。実施形態３も、つなぎ部２５の形態が実施形態１と異なっているが、その他は実施形態１と同様である。
【００３３】
実施形態３のつなぎ部２５は、一条のみ設けられ、各分割ハウジング２０の対向面間にハウジング１０の長さ方向と交差する斜め方向に架け渡されている。このつなぎ部２５は、正面から見ると、左側の分割ハウジング２０の右端面（対向面）から右側の分割ハウジング２０の左端面（対向面）にかけて上向きの傾斜をもって延出する形態となっている。
実施形態３によれば、実施形態１と同様、つなぎ部２５が撓み変形するに足る十分な長さが確保されるとともに、各分割ハウジング２０を左右方向ばかりでなく前後方向及び上下方向にも相対変位させることができる。また、つなぎ部２５の剛性が実施形態１及び実施形態２の場合よりも低くなるので、各分割ハウジング２０同士の相対変位量を増大させることができる。
【００３４】
＜実施形態４＞
図８は本発明の実施形態４を示す。実施形態４も、つなぎ部２５の形態が実施形態１と異なっているが、その他は実施形態１と同様である。
【００３５】
実施形態４のつなぎ部２５は、二条設けられ、各つなぎ部２５が、各分割ハウジング２０の対向面間にハウジング１０の長さ方向と交差する斜め方向に架け渡されるとともに、互いの架け渡し方向を違えることで正面から見ると全体としてＸの字形をなす形態となっている。また、各つなぎ部２５は、各分割ハウジング２０の対向面間にハウジング１０の高さ方向と交差する斜め方向にも架け渡された形態となっており、その長さ方向のほぼ中央位置で斜めに交わることでその交差部２８が一体に接合されている。詳しくは、一方のつなぎ部２５は、正面から見ると、ハウジング１０の手前側から奥側にかけて下向きの傾斜をもって各分割ハウジング２０の対向面間に架橋され、他方のつなぎ部２５は、正面から見ると、ハウジング１０の手前側から奥側にかけて上向きの傾斜をもって各分割ハウジング２０の対向面間に架橋されている。また、各つなぎ部２５は、その交差部２８において段違い状に連なっており、交差部２８を中心とした点対称形状をなしている。
【００３６】
実施形態４によれば、各つなぎ部２５が交差部２８を中心とした点対称形状をなすので、剛性を高く保ちつつ、各分割ハウジング２０を左右方向、上下方向、及び前後方向に円滑に相対変位させることができる。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明において、つなぎ部は、それ自体が伸縮可能なバネ性をもって形成されるものでもよい。
（２）本発明において、ハウジングは三つ以上の分割ハウジングによって構成され、隣り合う分割ハウジング同士がつなぎ部によって連結される態様であってもよい。
（３）本発明において、つなぎ部は、隣り合う分割ハウジングの対向面間に三条以上設けられていてもよい。
【００３８】
（４）本発明は、端子金具が嵌合筒部の内側に突出する水平部と、嵌合筒部の外側に露出してプリント基板側に垂下する垂直部とからなり、全体としてＬの字形をなす場合にも適用できる。
（５）本発明は、端子金具が嵌合筒部の奥壁に対してインサート成形によって装着される場合にも適用できる。
【図面の簡単な説明】
【００３９】
【図１】本発明の実施形態１に係る基板用コネクタの正面図
【図２】その底面図
【図３】プリント基板に実装した状態の図
【図４】つなぎ部を示す要部拡大断面図
【図５】つなぎ部を示す要部拡大斜視図
【図６】実施形態２に係る基板用コネクタの正面図
【図７】実施形態３に係る基板用コネクタの正面図
【図８】実施形態４に係る基板用コネクタのつなぎ部を示す要部拡大斜視図
【符号の説明】
【００４０】
１０…ハウジング
２０…分割ハウジング
２１…嵌合筒部
２５…つなぎ部
３０…端子金具
６０…プリント基板（基板）
６５…スルーホール
【図１】
2006173003.tif 000003
【図２】
2006173003.tif 000004
【図３】
2006173003.tif 000005
【図４】
2006173003.tif 000006
【図５】
2006173003.tif 000007
【図６】
2006173003.tif 000008
【図７】
2006173003.tif 000009
【図８】
2006173003.tif 000010